(57)【特許請求の範囲】
【請求項１】
下辺横枠材、上辺横枠材、およびこれら下辺横枠材と上辺横枠材間に渡って組まれた縦枠材を含む鋼製の壁下地枠組体と、この壁下地枠組体の下辺横枠材を建物の床上に固定する複数の下固定金物と、前記壁下地枠組体の上方に沿って延びて建物の躯体に設置された内部壁上辺支持材と、この内部壁上辺支持材に所定の隙間を介して取付けられて前記壁下地枠組体の上辺を固定した上固定金物と、前記壁下地枠組体に張られた面材とを含み、
前記下固定金物が、前記下辺横枠材が嵌合する上向き溝形に形成され、かつこの下固定金物が、この上向き溝形の下固定金物の底片および一方の立片を構成する断面Ｌ字状の下固定金物本体と、他方の立片となる平板状の分解用片と、これら下固定金物本体の底片の先端および分解用片に設けられたピン結合用筒部に渡って挿脱可能に挿入されて下固定金物本体と分解用片とを結合する結合ピンとでなり、
前記上固定金物が、前記壁下地枠組体の上面に上側から嵌合する下向き溝形であり、前記内部壁上辺支持材から垂下させたボルトに上方へ逃がし可能に取付けられ、前記内部壁上辺支持材と前記上固定金物との間の前記所定の隙間は、前記下固定金物の内部の深さと同等かまたはこの深さよりもよりも大きな隙間とされた、
建物の内部壁構造。
【請求項２】
請求項１において、前記内部壁上辺支持材は軽鉄の溝形鋼からなり、前記壁下地枠組体の上方に沿って水平に延び、この内部壁上辺支持材に対して直交する方向に水平に延びて配置される軽鉄の溝形鋼からなる天井吊り材にボルトで固定され、前記天井吊り材はハンガーおよび吊りボルトを介して建物の天井スラブに支持される建物の内部壁構造。
【請求項３】
請求項１または請求項２において、前記壁下地枠組体が、同一平面上に並べて複数設けられ、これら複数の壁下地枠組体のうちのいずれかが、隣の壁下地枠組体よりも狭く形成されかつ隣の壁下地枠組体から離れて配置され、上記狭く形成された壁下地枠組体に張られた面材が、隣の壁下地枠組体の前面まで延びた建物の内部壁構造。
【請求項４】
請求項１ないし請求項３のいずれか１項において、前記面材が、前記壁下地枠組体に対して面ファスナで貼り付けられた建物の内部壁構造。
【請求項５】
建物の床上に、内部壁構築予定箇所に沿って複数の下固定金物を配列状態に取付ける過程と、建物内の天井部に内部壁構築予定箇所に沿って延びる内部壁上辺支持材を建物の躯体に設置する過程と、内部壁の下辺横枠材を前記複数の下固定金物に取付け、前記下辺横枠材に対して上方に位置する上辺横枠材、およびこれら下辺横枠材と上辺横枠材間に渡る縦枠材を互いに組んで、これら下辺横枠材、上辺横枠材、および縦枠材を含む鋼製の壁下地枠組体を組み立てる過程と、この組み立てられた壁下地枠組体の上辺を、前記内部壁上辺支持材の下方に所定の隙間を介して取付けられる上固定金物により、前記内部壁上辺支持材に固定する過程と、前記壁下地枠組体に面材を張る過程とを含み、
前記下固定金物が、前記下辺横枠材が嵌合する上向き溝形に形成され、かつこの下固定金物が、この上向き溝形の下固定金物の底片および一方の立片を構成する断面Ｌ字状の下固定金物本体と、他方の立片となる平板状の分解用片と、これら下固定金物本体の底片の先端および分解用片に設けられたピン結合用筒部に渡って挿脱可能に挿入されて下固定金物本体と分解用片とを結合する結合ピンとでなり、
前記上固定金物が、前記壁下地枠組体の上面に上側から嵌合する下向き溝形であり、前記内部壁上辺支持材から垂下させたボルトに上方へ逃がし可能に取付けられ、前記内部壁上辺支持材と前記上固定金物との間の前記所定の隙間は、前記下固定金物の内部の深さと同等かまたはこの深さよりもよりも大きな隙間とされる、
建物の内部壁構造の施工方法。
【請求項６】
請求項５において、前記壁下地枠組体を、同一平面上に並べて複数設け、これら複数の壁下地枠組体のうちのいずれかを、隣の壁下地枠組体よりも狭く形成しかつ隣の壁下地枠組体から離れて配置し、上記狭く形成された壁下地枠組体に張られた面材が、隣の壁下地枠組体の前面まで延びた建物の内部壁構造の施工方法。
【請求項７】
請求項５または請求項６において、前記面材を、前記壁下地枠組体に対して面ファスナで貼り付ける建物の内部壁構造の施工方法。
【発明の詳細な説明】
【技術分野】
【０００１】
この発明は、建物の内部に解体・再構築可能に設けられる内部壁構造と、その内部壁構造の施工方法に関する。
【背景技術】
【０００２】
建物の内部壁の従来工法として一般的なものは、鋼製下地材（軽鉄下地材）を縦横に組んだ後、この下地組体に石膏ボード等の面材をビス止めするという工法であり、最も安価に内部壁を構築できる。この場合、前記面材上に、壁紙、クロス、化粧板等の仕上げ材を貼って内部壁が仕上げられる。
【特許文献１】特開２００１−１８２２００
【特許文献２】特開２００２−１０６０９３
【発明の開示】
【発明が解決しようとする課題】
【０００３】
しかし、上記した工法により構築された内部壁の場合、その構成部材を内部壁として再利用しようとしても、再利用可能に解体することが困難である。すなわち、例えば、面材となる石膏ボードからビスを取り外し、下地組体を分解して鋼製下地材（軽鉄下地材）を再利用することは可能であるが、非常に手間を要してしまう。そのため、壁面を構成する資材の一部としての再利用は想定できても、全部材を内部壁として再利用するのは現実的ではない。
【０００４】
また、解体・再利用を想定した壁構造として、パーティション等の後付けの間仕切り壁を用いるものが知られているが、壁面パネルとしては非常に高価な製品であり、部材として運搬する際の輸送費も加わるため、コスト面の観点から上記壁構造からの置き換えが困難である。
【０００５】
この発明の目的は、解体・再構築が容易な建物の内部壁構造およびその施工方法を提供することである。
【課題を解決するための手段】
【０００６】
この発明の建物の内部壁構造は、下辺横枠材、上辺横枠材、およびこれら下辺横枠材と上辺横枠材間に渡って組まれた縦枠材を含む鋼製の壁下地枠組体と、この壁下地枠組体の下辺横枠材を建物の床上に固定する複数の下固定金物と、前記壁下地枠組体の上方に沿って延びて建物の躯体に設置された内部壁上辺支持材と、この内部壁上辺支持材に所定の隙間を介して取付けられて前記壁下地枠組体の上辺を固定した上固定金物と、前記壁下地枠組体に張られた面材とを含むものである。上記各枠材には、例えば軽鉄、すなわち軽量鉄骨製の枠材が使用される。
この構成によると、最初の構築時は、個々の枠材等を現場で順に組み立てて内部壁を構築することができ、また構築された状態では、壁下地枠組体と面材とで壁面パネルが構成される。構築後の解体時には、下固定金物から壁下地枠組体の下辺を取り外し、内部壁上辺支持材から上固定金物を取り外し、さらに上固定金物から壁下地枠組体の上辺を取り外すことで、壁下地枠組体と面材からなる壁面パネルを取り出すことができる。このため、容易に内部壁構造を分解できる。また、この取り外した壁面パネルは、その状態で保管・運搬して、再構築時は、壁面パネルの状態で躯体に設置することができ、再構築時には、各枠材を１本ずつ現場組みすることが不要となる。そのため、解体・再構築が容易に行える。なお、解体時に、壁面パネルの状態ではなく、壁下地枠組体から面材を外し、壁下地枠組体の状態で取り外し、この壁下地枠組体の状態で再構築に用いても良い。その場合も、再構築時には、各枠材を１本ずつ現場組みすることが不要で、解体・再構築を容易に行うことができる。
【０００７】
前記下固定金物は、下辺横枠材が嵌合する上向き溝形に形成され、かつこの下固定金物が、この上向き溝形の下固定金物の底片および一方の立片を構成する断面Ｌ字状の下固定金物本体と、他方の立片となる平板状の分解用片と、これら下固定金物本体の底片の先端および分解用片に設けられたピン結合用筒部に渡って挿脱可能に挿入されて下固定金物本体と分解用片とを結合する結合ピンとでなるものとする。
また、前記上固定金物は、前記壁下地枠組体の上面に上側から嵌合する下向き溝形であり、前記内部壁上辺支持材から垂下させたボルトに上方へ逃がし可能に取付けられ、前記内部壁上辺支持材と前記上固定金物との間の前記所定の隙間は、前記下固定金物の内部の深さと同等かまたはこの深さよりもよりも大きな隙間とされる。
この構成の場合、下固定金物本体と分解用片を結合する結合ピンをピン結合用筒部から抜き、下固定金物本体から分解用片を取り外すことにより、下固定金物から壁下地枠組体の下辺を容易に取り外すことができる。
この発明において、前記内部壁上辺支持材は軽鉄の溝形鋼からなり、前記壁下地枠組体の上方に沿って水平に延び、この内部壁上辺支持材に対して直交する方向に水平に延びて配置される軽鉄の溝形鋼からなる天井吊り材にボルトで固定され、前記天井吊り材はハンガーおよび吊りボルトを介して建物の天井スラブに支持されたものであっても良い。
【０００８】
この発明において、前記壁下地枠組体が、同一平面上に並べて複数設けられ、これら複数の壁下地枠組体のうちのいずれかが、隣の壁下地枠組体よりも狭く形成されかつ隣の壁下地枠組体から離れて配置され、上記狭く形成された壁下地枠組体に張られた面材が、隣の壁下地枠組体の前面まで延びたものであっても良い。
この構成の場合、構築時あるいは再構築時に、幅が狭く形成された壁下地枠組体と隣の壁下地枠組体との離間距離を微調整できる。そのため、建物躯体の柱間や各壁間等の寸法誤差を吸収して内部壁の構築が行える。
【０００９】
この発明において、前記面材が、前記壁下地枠組体に対して面ファスナで貼り付けられたものであっても良い。面ファスナを用いた場合、面材の着脱が容易で、解体および再利用をより一層容易に行うことができる。
【００１０】
この発明の建物の内部壁構造の施工方法は、建物の床上に、内部壁構築予定箇所に沿って複数の下固定金物を配列状態に取付ける過程と、建物内の天井部に内部壁構築予定箇所に沿って延びる内部壁上辺支持材を建物の躯体に設置する過程と、内部壁の下辺横枠材を前記複数の下固定金物に取付け、前記下辺横枠材に対して上方に位置する上辺横枠材、およびこれら下辺横枠材と上辺横枠材間に渡る縦枠材を互いに組んで、これら下辺横枠材、上辺横枠材、および縦枠材を含む構成の壁下地枠組体を組み立てる過程と、この組み立てられた壁下地枠組体の上辺を、前記内部壁上辺支持材の下方に所定の隙間を介して取付けられる上固定金物により、前記内部壁上辺支持材に固定する過程と、前記壁下地枠組体に面材を張る過程とを含む方法である。前記各枠材には、例えば軽鉄製の枠材等が使用される。
前記下固定金物は、前記下辺横枠材が嵌合する上向き溝形に形成され、かつこの下固定金物が、この上向き溝形の下固定金物の底片および一方の立片を構成する断面Ｌ字状の下固定金物本体と、他方の立片となる平板状の分解用片と、これら下固定金物本体の底片の先端および分解用片に設けられたピン結合用筒部に渡って挿脱可能に挿入されて下固定金物本体と分解用片とを結合する結合ピンとでなり、
前記上固定金物が、前記壁下地枠組体の上面に上側から嵌合する下向き溝形であり、前記内部壁上辺支持材から垂下させたボルトに上方へ逃がし可能に取付けられ、前記内部壁上辺支持材と前記上固定金物との間の前記所定の隙間は、前記下固定金物の内部の深さと同等かまたはこの深さよりもよりも大きな隙間とされる。
この施工方法によると、最初の構築時は、個々の枠材等を現場で順に組み立てて内部壁を構築することができ、また構築された状態では、壁下地枠組体と面材とで壁面パネルが構成される。構築後の解体時には、下固定金物から壁下地枠組体の下辺を取り外し、内部壁上辺支持材から上固定金物を取り外し、さらに上固定金物から壁下地枠組体の上辺を取り外すことで、壁下地枠組体と面材からなる壁面パネルを取り出すことができる。このため、容易に内部壁構造を分解できる。また、この取り外した壁面パネルは、その状態で保管・運搬して、再構築時は、壁面パネルの状態で躯体に設置することができ、再構築時には、各枠材を１本ずつ現場組みすることが不要となる。そのため、解体・再構築が容易に行える。なお、解体時に、壁面パネルの状態ではなく、壁下地枠組体から面材を外し、壁下地枠組体の状態で取り外し、この壁下地枠組体の状態で再構築に用いても良い。その場合も、再構築時には、各枠材を１本ずつ現場組みすることが不要で、解体・再構築を容易に行うことができる。このように、解体・再利用可能な内部壁構造を容易に構築することができる。
【００１１】
この発明において、前記壁下地枠組体を、同一平面上に並べて複数設け、これら複数の壁下地枠組体のうちのいずれかを、隣の壁下地枠組体よりも狭く形成されかつ隣の壁下地枠組体から離れて配置し、上記狭く形成された壁下地枠組体に張られた面材が、隣の壁下地枠組体の前面まで延びたものとしても良い。
このように構成した場合、構築時あるいは再構築時に、幅が狭く形成された壁下地枠組体と隣の壁下地枠組体との離間距離を微調整できる。そのため、建物躯体の柱間や各壁間等の寸法誤差を吸収して構築が内部壁の構築が行える。
【００１２】
この発明において、前記面材を、前記壁下地枠組体に対して面ファスナで貼り付けるものとしても良い。面ファスナを用いた場合、壁下地枠組体への面材の張付け、および解体時における壁下地枠組体からの面材の取り外しが容易になる。
【発明の効果】
【００１３】
この発明の建物の内部壁構造は、下辺横枠材、上辺横枠材、およびこれら下辺横枠材と上辺横枠材間に渡って組まれた縦枠材を含む鋼製の壁下地枠組体と、この壁下地枠組体の下辺横枠材を建物の床上に固定する複数の下固定金物と、前記壁下地枠組体の上方に沿って延びて建物の躯体に設置された内部壁上辺支持材と、この内部壁上辺支持材に所定の隙間を介して取付けられて前記壁下地枠組体の上辺を固定した上固定金物と、前記壁下地枠組体に張られた面材とを含み、前記下固定金物が、前記下辺横枠材が嵌合する上向き溝形に形成され、かつこの下固定金物が、この上向き溝形の下固定金物の底片および一方の立片を構成する断面Ｌ字状の下固定金物本体と、他方の立片となる平板状の分解用片と、これら下固定金物本体の底片の先端および分解用片に設けられたピン結合用筒部に渡って挿脱可能に挿入されて下固定金物本体と分解用片とを結合する結合ピンとでなり、前記上固定金物が、前記壁下地枠組体の上面に上側から嵌合する下向き溝形であり、前記内部壁上辺支持材から垂下させたボルトに上方へ逃がし可能に取付けられ、前記内部壁上辺支持材と前記上固定金物との間の前記所定の隙間は、前記下固定金物の内部の深さと同等かまたはこの深さよりもよりも大きな隙間とされたため、建物の内部壁を解体・再構築することが容易となる。
この発明の建物の内部壁構造の施工方法は、建物の床上に、内部壁構築予定箇所に沿って複数の下固定金物を配列状態に取付ける過程と、建物内の天井部に内部壁構築予定箇所に沿って延びる内部壁上辺支持材を建物の躯体に設置する過程と、内部壁の下辺横枠材を前記複数の下固定金物に取付け、前記下辺横枠材に対して上方に位置する上辺横枠材、およびこれら下辺横枠材と上辺横枠材間に渡る縦枠材を互いに組んで、これら下辺横枠材、上辺横枠材、および縦枠材を含む鋼製の壁下地枠組体を組み立てる過程と、この組み立てられた壁下地枠組体の上辺を、前記内部壁上辺支持材の下方に所定の隙間を介して取付けられる上固定金物により、前記内部壁上辺支持材に固定する過程と、前記壁下地枠組体に面材を張る過程とを含み、前記下固定金物が、前記下辺横枠材が嵌合する上向き溝形に形成され、かつこの下固定金物が、この上向き溝形の下固定金物の底片および一方の立片を構成する断面Ｌ字状の下固定金物本体と、他方の立片となる平板状の分解用片と、これら下固定金物本体の底片の先端および分解用片に設けられたピン結合用筒部に渡って挿脱可能に挿入されて下固定金物本体と分解用片とを結合する結合ピンとでなり、前記上固定金物が、前記壁下地枠組体の上面に上側から嵌合する下向き溝形であり、前記内部壁上辺支持材から垂下させたボルトに上方へ逃がし可能に取付けられ、前記内部壁上辺支持材と前記上固定金物との間の前記所定の隙間は、前記下固定金物の内部の深さと同等かまたはこの深さよりもよりも大きな隙間とされるため、建物の内部壁を解体可能に容易に構築することができる。
【発明を実施するための最良の形態】
【００１４】
この発明の第１の実施形態を図１ないし図１１と共に説明する。図１は、この実施形態の建物の内部壁構造の斜視図を示す。この内部壁構造は、鋼製の壁下地枠組体１と、複数の下固定金物２と、内部壁上辺支持材３と、上固定金物４と、面材５とを組み合わせて構成される。壁下地枠組体１は、同一平面上に並べて複数設けられる。
【００１５】
壁下地枠組体１は、下辺横枠材６と、上辺横枠材７と、これら下辺横枠材６と上辺横枠７間に渡って組まれた複数本の縦枠材８とでなる。この壁下地枠組体１の両面に面材５が張られて壁面パネル１０が構成される。隣り合う壁面パネル１０における面材５，５間には目地となる隙間Ｙが設けられる。
壁下地枠組体１を上記各枠材６〜８は、例えば軽鉄（すなわち鋼板のプレス加工品からなる鉄骨である軽量鉄骨）製のものが使用される。このうち、下辺横枠材６と上辺横枠材７とは、例えば溝形のものとされる。縦枠材８は、溝形やリップ溝形、または角パイプ状のものとされる。縦枠材８は、溝形の下辺横枠材６と上辺横枠材７とに両端が嵌合させられ、その嵌合部分が、下辺横枠材６および上辺横枠材７にドリル付きタッピングビス等の固着具（図示せず）で接合される。面材５は、石膏ボード等からなり、例えばドリル付きタッピングビス等の固着具（図示せず）で壁下地枠組体１の各枠材６〜８に接合される。
【００１６】
下固定金物２は、図１のＤ部，Ｅ部，Ｆ部を拡大して示す図５，図６，図７のように、前記壁下地枠組体１の下辺横枠材６を建物の床スラブ９上に固定する金物である。この下固定金物２は、図８のように、前記下辺横枠材６が嵌合する上向き溝形に形成され、図示しないドリル付きタッピングビス等の固着具で床スラブ９上に固定される。下固定金物２は、図８（Ａ）のように、上向き溝形の底片２１ａおよび一方の立片２１ｂを構成する断面Ｌ字状の下固定金物本体２１と、他方の立片となる平板状の分解用片２２と、これら下固定金物本体２１と分解用片２２とを連結する結合ピン２３とでなる。下固定金物本体２１および分解用片２２は、それぞれ鋼板のプレス加工品からなる。下固定金物本体２１の底片２１ａ先端、および分解用片２２にはピン結合用筒部２４，２５がそれぞれ一体に設けられる。これら両方のピン結合用筒部２４，２５に渡って前記結合ピン２３が挿通されることで、下固定金物本体２１と分解用片２２とが図８（Ｂ）のように結合される。
下固定金物本体２１の底片２１ａには、下固定金物２を床スラブ９上に固定する前記ビスの頭部が下辺横枠材６と干渉しないように、凹凸部２１ａａ，２１ａｂが設けられている。この下固定金物２に壁下地枠組体１の下辺を嵌合させ、ビス１３で壁下地枠組体１の下辺を下固定金物２に固定することにより、壁下地枠組体１の下辺横枠材６が下固定金物２を介して床スラブ９上に固定される。
【００１７】
内部壁上辺支持材３は、例えば軽鉄等の溝形鋼からなり、前記壁下地枠組体１の上方に沿って水平に延びて、建物の躯体に設置される。具体的には、内部壁上辺支持材３は、図１のＣ部を拡大して示す図４のように、内部壁上辺支持材３に対して直交する方向に水平に延びて配置される天井吊り材２６に、ボルト２７で固定される。天井吊り材２６は、図９のようにハンガー２８および吊りボルト２９を介して建物の躯体である天井スラブ３０に支持される。天井吊り材２６は、例えば軽鉄等の溝形鋼からなる。
【００１８】
上固定金物４は、前記内部壁上辺支持部材３に所定の隙間を介して取付けられて前記壁下地枠組体１の上辺を固定する金物であり、壁下地枠組体１の上辺に嵌合する下向き溝形とされている。上記所定の隙間は、例えば、前記溝形の下固定金物２の内部の深さと同等かまたはこの深さよりも大きな隙間とされる。この上固定金物４は、図１のＡ部およびＢ部を拡大して示す図２および図３のように、ボルト１１で内部壁上辺支持部材３に取付けられる。この上固定金物４に壁下地枠組体１の上辺を嵌合させ、ビス１２で壁下地枠組体１の上辺を上固定金物４に固定することにより、壁下地枠組体１の上辺が上固定金物４を介して内部壁上辺支持部材３に固定される。
【００１９】
この構成の建物の内部壁構造の施工方法を、図１０を参照して以下に説明する。
先ず、図１０（Ａ）のように、建物の床スラブ９上の内部壁構築予定箇所に墨出しし、その墨位置に沿って配列状態に複数の下固定金物２を床スラブ９上にビス止めする。この後、建物内の天井部に内部壁構築予定箇所に沿って延びるように内部壁上辺支持材３を配置し、この内部壁上辺支持材３を建物の躯体に設置する。建物の躯体への内部壁上辺支持材３の設置は、この例では、図９のように内部壁上辺支持材３と直交する水平方向に延びて配置された天井吊り材２６に、内部壁上辺支持材３をボルト２７で固定することにより行う。天井吊り材２６は、ハンガー２８（図９）および吊りボルト２９を介して天井スラブ３０に支持される
【００２０】
次に、図１０（Ｂ）のように、壁下地枠組体１の構成部材である下辺横枠材６を、前記複数の下固定金物２に取付ける。この下辺横枠材６に対し上方に位置する上辺横枠材７、およびこれら下辺横枠材６と上辺横枠材７間に渡る縦枠材８を、在来工法で互いに組んで、つまり前記嵌合およびドリル付きタッピングビスによる接合により組んで、これら下辺横枠材６、上辺横枠材７、および縦枠材８を含む壁下地枠組体１を組み立てる。
【００２１】
このようにして、図１０（Ｃ）のように、組み立てられた壁下地枠組体１の上辺を、上固定金物４により内部壁上辺支持材３に固定する。具体的には、先ず上固定金物４を、図２〜図４のように所定の隙間を介して、内部壁上辺支持材３にボルト１１で固定し、次に壁下地枠組体１の上辺をビス１２で上固定金物４に固定する。
この後、図１０（Ｄ）のように、前記壁下地枠組体１の両面に在来工法（例えばビス止め）で面材５を張って壁面パネル１０を完成させる。壁面パネル１０の下部は、下固定金物２や下辺横枠材６が隠れるように幅木で納める。仕上げ処理として前記面材５に化粧板等を貼る場合は、後述する解体・再利用が容易に行なえるように、面ファスナを活用するのが望ましい。
【００２２】
図１１は、図１０のように施工された建物の内部壁構造の解体手順を示す。
この解体作業では、先ず壁面パネル１０の面材５上に貼られた仕上げの化粧板、壁紙、クロス等を撤去する。この後、上固定金物４を内部壁上辺支持材３に対して取付けたボルト１１を緩めて上固定金物４を、前記所定の隙間で上方へ逃がすことを可能としておいて、壁面パネル１０を持ち上げ、壁面パネル１０の下端を下固定金物２から上方へ抜け出させる。壁面パネル１０が重い場合は、図１１（Ａ）のように、下固定金物２からビス１３（図５〜図７）を外して、図１１（Ａ）のＡ１部での作業を示す図１１（Ａ２），（Ａ３）のように、下固定金物本体２１と分解用片２２を結合する結合ピン２３を抜き、下固定金物本体２１から分解用片２２を取り外す。
次に、図１１（Ｂ）のように、上固定金物４からビス１２（図２〜図４）を外して、上固定金物４を内部壁上辺支持材３に固定するボルト１１（図２〜図４）を緩め、上固定金物４を内部壁上辺支持材３から取り外す。
次に、図１１（Ｃ）のように、下固定金物２および上固定金物４による拘束から解放された壁面パネル１０を手前に引き出す。これにより、内部壁構造を容易に解体できる。この後、壁面パネル１０の単位で集積して搬出する。上記した解体と逆の手順で施工すれば、図１と同様の内部壁構造を再構築できる。なお、解体した壁面パネル１０は、工場へ持ち帰って診断補修してから、再構築の施工現場へ搬入する。この場合も、下固定金物２として、下固定金物本体２１と分解用片２２を、図８のように結合ピン２３で結合して上向き溝形に組み立てることで、壁面パネル１０の位置精度を確保する。
【００２３】
図１２は、この発明の他の実施形態を示す。この実施形態の内部壁構造では、図１２（Ｃ）に正面図で示すように、同一平面上に並べて複数設けられる壁下地枠組体１のうちのいずれかが、隣の壁下地枠組体１よりも狭く形成され、かつ隣の壁下地枠組体１から離れて配置される。ここでは、これら壁下地枠組体１の片面に面材５を張って壁面パネル１０が構成されるが、図１２（Ａ），（Ｂ）に平面図および正面図で示すように、狭く形成された壁下地枠組体１に張られた面材５は、隣の壁下地枠組体１の前面まで延ばされている。
また、この実施形態では、壁仕上げの化粧板となるアルミパネル等の比較的強度のある板材を前記面材５として前記壁下地枠組体１に直張りすることで、面材５を化粧板に兼用している。すなわち、壁下地枠組体１を壁面パネルとして捉え、その片面に化粧板となる面材５を直張りしている。この場合、化粧板を兼ねる面材５を、面ファスナ１４，１５を介して壁下地枠組体１の縦枠材８の表面に貼り付けることで、解体・再利用ができるようにされている。壁下地枠組体１の下辺を下固定金物２を介して床スラブ９上に固定する構成、および壁下地枠組体１の上辺を上固定金物４を介して内部壁上辺支持材３に固定する構成は，図１の実施形態の場合と同様である。
この実施形態の場合、解体は、壁面パネル１０の状態ではなく、壁下地枠組体１から面材５を取り外し、壁下地枠組体１の単独の状態で取り外し、この面材５の外された壁下地枠組体１の状態で、内部壁の再構築に用いる。
【００２４】
図１３に示すように、２種類の面ファスナ１４，１５は組み合わせて使用され、一方の面ファスナ１４は、基材１４ａの片面に多数の係合体１４ｂを植設したものであり、その基材１４ａの背面が例えば壁下地枠組体１の縦枠材８の表面に貼り付けられる。他方の面ファスナ１５は、基材１５ａの片面に前記係合体１４ｂに係合可能な多数の被係合体１５ｂを植設したものであり、その基材１５ａの背面が、面材５の裏面の前記縦枠材８の表面の面ファスナ１４の貼付位置に対向する位置に貼り付けられる。面材５を壁下地枠組体１の表面に押し当てることにより、両面ファスナ１４，１５の係合体１４ｂと被係合体１５ｂが互いに係合して、壁下地枠組体１の表面に面材５が貼り付けられる。このように面ファスナ１４，１５を用いると、壁下地枠組体１への面材５の張付け、および解体時における壁下地枠組体１からの面材５の取り外しが容易になる。
【００２５】
この内部壁構造によると、構築時あるいは再構築時に、幅が狭く形成された壁下地枠組体１と隣の壁下地枠組体１との離間距離Ｘを微調整でき、柱や壁等の建付け誤差を吸収することができる。また、アルミパネルのような軽量で仕上げ化粧板となる板材を面材５として用いているので、解体・再構築の施工性向上が可能となる。
なお、この実施形態の場合、壁下地枠組体１と面材５とでなる壁面パネル１０が軽量となるため、壁面パネル１０を手前に引き出す機構として、下固定金物２を、図８のような分解可能な構造とするのを省略でき、構成部品を簡略化できる。
【００２６】
図１４および図１５は、この発明のさらに他の実施形態を示す。この実施形態は、図１２の実施形態の内部壁構造において、図１４（Ａ）のように幅を狭く形成された壁下地枠組体１と隣の壁下地枠組体１とを、図１４（Ｂ）のようにこれら両壁下地枠組体１，１間の離間距離が調整可能となるように、例えば溝形鋼からなる振れ止め部材１６で連結している。具体的には、図１５（Ａ）のように隣り合う壁下地枠組体１，１の縦枠材８に、これら壁下地枠組体１の表面に沿う水平方向に向けて貫通する挿通孔１７を設け、図１５（Ｂ）のように隣り合う壁下地枠組体１，１に渡って前記各挿通孔１７に振れ止め部材１６を挿通させる。
【００２７】
このように、隣り合う壁下地枠組体１，１を振れ止め部材１６で連結すると、隣り合う壁下地枠組体１，１の離間距離Ｘを調整可能としつつ、両壁下地枠組体１間でこれらの表面が同一平面に揃うように通り精度を確保することができる。
【図面の簡単な説明】
【００２８】
【図１】この発明の一実施形態に係る建物の内部壁構造を示す斜視図である。
【図２】図１におけるＡ部の拡大図である。
【図３】図１におけるＢ部の拡大図である。
【図４】図１におけるＣ部の拡大図である。
【図５】図１におけるＤ部の拡大図である。
【図６】図１におけるＥ部の拡大図である。
【図７】図１におけるＦ部の拡大図である。
【図８】（Ａ）は下固定金物の分解斜視図、（Ｂ）はその組み合わせ状態を示す斜視図である。
【図９】内部壁構造の側面図である。
【図１０】同内壁部構造の施工手順を示す説明図である。
【図１１】同内部壁構造の解体手順を示す説明図である。
【図１２】（Ａ）はこの発明の他の実施形態に係る建物の内部壁構造の水平断面図、（Ｂ）は同正面図、（Ｃ）は同内部壁構造の面材張付け前の状態を示す正面図である。
【図１３】同内部壁構造における面ファスナによる接合部の分解平面図である。
【図１４】（Ａ）はこの発明のさらに他の実施形態にかかる建物の内部壁構造の壁下地枠組体配列状態を示す水平断面図、（Ｂ）は同内部壁構造の面材張付け前の状態を示す水平断面図である。
【図１５】（Ａ）は同内部壁構造における縦枠材の側面図、（Ｂ）は同内部壁構造における壁下地枠組体配列状態を示す斜視図である。
【符号の説明】
【００２９】
１…壁下地枠組体
２…下固定金物
３…内部壁上辺支持材
４…上固定金物
５…面材
６…下辺横枠材
７…上辺横枠材
８…縦枠材
９…床スラブ
１４，１５…面ファスナ
２１…下固定金物本体
２１ａ…底片
２１ｂ…立片
２２…分解用片
２３…結合ピン
２４，２５…ピン結合用筒部
【図１】
0005252888.tif 000002
【図２】
0005252888.tif 000003
【図３】
0005252888.tif 000004
【図４】
0005252888.tif 000005
【図５】
0005252888.tif 000006
【図６】
0005252888.tif 000007
【図７】
0005252888.tif 000008
【図８】
0005252888.tif 000009
【図９】
0005252888.tif 000010
【図１０】
0005252888.tif 000011
【図１１】
0005252888.tif 000012
【図１２】
0005252888.tif 000013
【図１３】
0005252888.tif 000014
【図１４】
0005252888.tif 000015
【図１５】
0005252888.tif 000016